(57)【特許請求の範囲】
【請求項１】
整髪機器の加熱プレートであって、前記加熱プレートは長さ、深さ及び幅を有し、前記加熱プレートは、連続し毛髪に直接接触する第１の面と、前記第１の面の反対側の面であってヒータに接触する第２の面と、前記加熱プレートの前記幅にわたって延びる複数の溝とを含み、
各溝は、前記第２の面から前記第１の面に向かって延びて前記加熱プレートの屈曲を可能にし、各溝の両側に、前記溝を定める壁部が存在し、前記壁部は、前記溝よりも幅が広い、加熱プレート。
【請求項２】
前記第１の面は平らである、請求項１に記載の加熱プレート。
【請求項３】
一体構造である、請求項１又は２に記載の加熱プレート。
【請求項４】
前記第１の面は矩形である、請求項１から３のいずれか１項に記載の加熱プレート。
【請求項５】
ベリリウム銅で形成される、請求項１から４のいずれか１項に記載の加熱プレート。
【請求項６】
前記第１の面と前記溝の各々の頂部との間に形成された層をさらに含む、請求項１から５のいずれか１項に記載の加熱プレート。
【請求項７】
前記層は、０．００１ｍｍ〜１ｍｍの深さ（Ｄ２）を有する、請求項６に記載の加熱プレート。
【請求項８】
前記深さ（Ｄ２）は、０．０１ｍｍ〜０．１ｍｍである、請求項７に記載の加熱プレート。
【請求項９】
前記層の前記深さ（Ｄ２）と、前記加熱プレートの深さ（Ｄ１）との比率は１：６０である、請求項７又は８に記載の加熱プレート。
【請求項１０】
２０本〜１００本の溝が存在する、請求項１から９のいずれか１項に記載の加熱プレート。
【請求項１１】
前記加熱プレートの側面の長さに沿って延びる第１のチャネルをさらに含む、請求項１から１０のいずれか１項に記載の加熱プレート。
【請求項１２】
前記加熱プレートの両側に配置された第１のチャネルを有する、請求項１１に記載の加熱プレート。
【請求項１３】
前記第１のチャネルは、前記加熱プレートの残り部分よりも導電性の低い第１の材料片を収容する、請求項１１又は１２に記載の加熱プレート。
【請求項１４】
前記加熱プレートの前記側面の長さに沿って延びる第２のチャネルをさらに含む、請求項１１から１３のいずれか１項に記載の加熱プレート。
【請求項１５】
前記加熱プレートの両側に配置された第２のチャネルを有する、請求項１４に記載の加熱プレート。
【請求項１６】
前記第２のチャネルは、弾性部材を収容する、請求項１４又は１５に記載の加熱プレート。
【請求項１７】
前記弾性部材は、前記第２のチャネルの長さにわたって延びる材料片である、請求項１６に記載の加熱プレート。
【請求項１８】
前記第２の面に形成された細長い凹部をさらに含む、請求項１から１７のいずれか１項に記載の加熱プレート。
【請求項１９】
前記細長い凹部は、前記加熱プレートの全長（Ｌ）にわたって延びる、請求項１８に記載の加熱プレート。
【請求項２０】
請求項１から１９のいずれか１項に記載の加熱プレートを含む、ことを特徴とするストレートヘアアイロン。
【請求項２１】
毛髪を把持する目的で開位置と閉位置との間で動くことができるように接続された第１及び第２のアームをさらに含む、請求項２０に記載のストレートヘアアイロン。
【請求項２２】
前記第１及び第２のアームの少なくとも一方は、加熱プレートを有する、請求項２１に記載のストレートヘアアイロン。
【請求項２３】
両アームが加熱プレートを有する、請求項２２に記載のストレートヘアアイロン。
【発明の詳細な説明】
【技術分野】
【０００１】
本発明は、整髪機器に関する。加熱式整髪機器は、熱の作用と、任意に毛髪を所望の形状又はスタイルに整える機械的手段とを使用するように設計される。
【背景技術】
【０００２】
具体的には、本発明は、整髪用アイロンとしても知られているストレートヘアアイロンの加熱プレートに関する。従来、ストレートヘアアイロンは、一端において互いに枢動自在に取り付けられ、他端に１又は２以上の加熱プレートが取り付けられた２つの連結アームを含む。両アームが加熱プレートを有する場合、これらの加熱プレートは、一般にアームの内側対向面上に位置する。一般に、加熱プレートは、ストレートヘアアイロンの使用中に、整髪する毛髪に接触するように設計された毛髪接触面を有する。このようなストレートヘアアイロンは、国際公開第２０１４／０５６９５７号で見ることができる。
【０００３】
従来、ストレートヘアアイロンの加熱プレートは、固体金属、セラミック又はこれらの組み合わせで構成される。また、これらの加熱プレートは、２つのアーム間で毛髪を圧迫する際に上下に動き、又はわずかに揺動できるように、ストレートヘアアイロンのアームに弾性的に取り付けられることが多い。これらの弾性的な取り付けは、加熱プレート間で圧迫される毛髪に過度に大きな圧力が加わらないことを確実にする役に立つ。また、使用中にプレートが平らで平行な状態を保つのを確実にする役にも立つことができる。このような弾性的な取り付けの例は、欧州特許第２７４５７２８号で見ることができる。
【先行技術文献】
【特許文献】
【０００４】
【特許文献１】国際公開第２０１４／０５６９５７号
【特許文献２】欧州特許第２７４５７２８号明細書
【特許文献３】米国特許出願公開第２０１１／００８３６９５号明細書
【発明の概要】
【発明が解決しようとする課題】
【０００５】
過圧による毛髪へのダメージを軽減するために、加熱プレート、又は加熱プレートに接する対向面をセグメント化して、ストレートヘアアイロンのアーム間で圧迫される毛髪に適合しやすくしたストレートヘアアイロンが記載されている。このような機構の例は、欧州特許第２７４５７２８号及び米国特許出願公開第２０１１／００８３６９５号に示されている。しかしながら、このような機構を用いた場合でも、ストレートヘアアイロンの使用中にセグメント間に髪の毛が引っ掛かることがあるという点でやはり問題がある。
【０００６】
したがって、改善された加熱プレート及びストレートヘアアイロンを提供することが望ましい。
【課題を解決するための手段】
【０００７】
したがって、本発明の第１の態様では、整髪機器の加熱プレートであって、長さ、深さ及び幅を有し、第１の連続する毛髪対向面と、第１の面の反対側の第２の面と、加熱プレートの幅にわたって延びる少なくとも１つの溝とを含み、各溝が、第２の面から第１の面に向かって延びて加熱プレートの屈曲を可能にする加熱プレートを提供する。
【０００８】
本発明が有利な理由は、少なくとも１つの溝が加熱プレートの屈曲を可能にするが、第１の連続する毛髪対向面が、毛髪が引っ掛からないことを保証するからである。「連続する」という用語は、第１の面に接合部がなく途切れていないことを意味する。第１の面は、単一要素で形成されることが好ましい。好ましい実施形態では、複数の溝が存在することができる。
【０００９】
好ましい実施形態では、第１の面が滑らかである。好ましい実施形態では、第１の面が平らである。第１の面は、連続している限り、わずかに湾曲し、又は起伏のある表面を有することも可能である。特定の実施形態では、加熱プレートを矩形にすることができる。
【００１０】
特に好ましい実施形態では、加熱プレート全体を一体構造（ｍｏｎｏｌｉｔｈｉｃ）とすることができる。
【００１１】
第１の面と各溝の頂部との間には、層が形成されることが好ましい。この層は、０．００１ｍｍ〜１ｍｍの深さ（Ｄ２）を有することができる。好ましい実施形態では、深さ（Ｄ２）を０．０１ｍｍ〜０．１ｍｍとすることができる。層の深さ（Ｄ２）は、０．０５ｍｍであることが最も好ましい。この層は、屈曲できるほど薄いことが好ましい。
【００１２】
加熱プレートの深さ（Ｄ１）は、０．０１ｍｍ、又は０．０６ｍｍ、又は０．５ｍｍ、又は１ｍｍ、又は３ｍｍから、５ｍｍ、又は７ｍｍ、又は１０ｍｍまでとすることができる。特定の実施形態では、加熱プレートの深さ（Ｄ１）を０．０６ｍｍ〜２ｃｍとすることができる。最も好ましい実施形態では、加熱プレートの深さ（Ｄ１）が３ｍｍである。層の深さ（Ｄ２）と加熱プレートの深さ（Ｄ１）との比率は、１：６０であることが好ましい。
【００１３】
特定の実施形態では、２０本、又は３０本、又は４０本、又は５０本から、６０本、又は７０本、又は８０本、又は９０本、又は１００本までの溝が存在する。好ましい実施形態では、８０本の溝が存在する。各溝の幅は、０．０１ｍｍ、又は０．０２ｍｍ、又は０．１ｍｍ、又は０．２ｍｍ、又は０．３ｍｍ、又は０．４ｍｍから、０．５ｍｍ、又は０．６ｍｍ、又は０．７ｍｍ、又は０．８ｍｍ、又は０．９ｍｍまでとすることができる。各溝の幅は、０．４ｍｍであることが理想的である。加熱プレートの長さは、２０ｍｍ、又は４０ｍｍ、又は６０ｍｍから、８０ｍｍ、又は１００ｍｍ、又は１２５ｍｍ、又は１５０ｍｍ、又は２００ｍｍまでであることが好ましい。加熱プレートの長さは、９０ｍｍであることが理想的である。
【００１４】
各溝の両側には、溝を定める壁部が存在することが好ましい。壁部の幅は、０．０１ｍｍ、又は０．２ｍｍ、又は０．４ｍｍ、又は０．６ｍｍ、又は１ｍｍから、１．２ｍｍ、又は１．４ｍｍ、又は１．６ｍｍ、又は２ｍｍまでであることが好ましい。壁部の幅は、０．６ｍｍであることが好ましい。特に好ましい実施形態では、加熱プレートの熱質量が増加するという理由で、壁部の方が溝よりも広い。
【００１５】
加熱プレートは、例えば、アルミニウム、銅、鋼、チタン又はベリリウム銅などのいずれかの好適な材料で形成することができる。加熱プレートは、いずれかの好適な方法を用いて製造することができる。加熱プレートを形成するには、層を一体に形成し、その後に層に壁部を加えることができる。或いは、加熱プレート全体を一体に形成し、したがって一体構造とすることもできる。
【００１６】
加熱プレートは、押し出し法、鋳造法、ワイヤーカット法、コンピュータ数値制御加工法（ＣＮＣ）、レーザー切断法、ウォータージェット法、放電加工法（ＥＤＭ）、精密電気化学加工法（ＰＥＣＭ）又は積層造形法の使用などによるいずれかの好適な技術を用いて形成することができる。
【００１７】
加熱プレートは、加熱プレートの側面の長さに沿って延びる第１のチャネルをさらに含むことができる。第１のチャネルは、加熱プレートの両側に配置されることが好ましい。（単複の）第１のチャネルは、加熱プレートの残り部分よりも柔らかい第１の材料片を収容することが理想的である。第１の材料片は、加熱プレートのショア値よりも低いショア値を有することができる。第１の材料片は、第１の材料片の頂部が加熱プレートの第１の面と同じ高さになるように、第１のチャネルからわずかに突出するように配置することができる。したがって、この第１の材料片は、保護用の滑らかな縁部として機能することができる。
【００１８】
加熱プレートは、加熱プレートの側面の長さに沿って延びる第２のチャネルをさらに含むこともできる。第２のチャネルは、加熱プレートの両側に配置されることが理想的である。（単複の）第２のチャネルは、弾性部材を収容することが好ましい。弾性部材は、（単複の）第２のチャネルの長さにわたる弾性材料片とすることができる。或いは、弾性部材は、（単複の）第２のチャネル内に位置する１又は２以上のばねとすることもできる。また、弾性部材は、加熱プレートよりも導電性が低いことが好ましい。弾性部材は、加熱プレートの第１の面に圧力が加わった時に加熱プレートを屈曲させるのに役立つことが有利である。弾性部材は、加熱プレートの１つの領域を局所的に屈曲させるのに役立つことができる。
【００１９】
特定の実施形態では、加熱プレートが、第２の面に形成された細長い凹部をさらに含むことができる。細長い凹部は、加熱プレートの全長（Ｌ）にわたって延びることができる。
【００２０】
本発明の第２の態様では、上述したような加熱プレートを含むストレートヘアアイロンを提供する。好ましい実施形態では、ストレートヘアアイロンが、毛髪を把持する目的で開位置と閉位置との間で動くことができるように接続された第１及び第２のアームを含む。
【００２１】
このようなストレートヘアアイロンは、加熱プレートに順応性があり、したがってストレートにする毛髪が受ける圧力が制御される一方で、第１の連続する毛髪対向面が一体に形成され、したがって毛髪が引っ掛からないようにすることができるので、従来のストレートヘアアイロンよりも有利である。これによって切れ毛を有利に減少させ、最終的なストレートヘアのスタイルを改善することができる。
【００２２】
各アームは、アームを閉位置に動かした時に、第１の連続する毛髪対向面同士が向かい合って１つにまとまるように配置された加熱プレートを有することが理想的である。特定の実施形態では、上述した構造を一方の加熱プレートのみが有する。追加のプレートは、剛性プレート、又は弾性的に取り付けられた剛性プレートとすることができる。しかしながら、好ましい実施形態では、両方の加熱プレートが上述の構造を有することができ、したがってこれらの両方が屈曲することができる。
【００２３】
以下、本発明をさらに容易に理解できるように、添付図面を参照しながら本発明の実施形態を一例として説明する。
【図面の簡単な説明】
【００２４】
【図１】本発明によるストレートヘアアイロンの側面図である。
【図２】図１に示すストレートヘアアイロンの上面図である。
【図３】図２に示す線Ｇ−Ｇにおける断面図である。
【図４ａ】図３に示す領域Ｈの拡大図である。
【図４ｂ】図１に示すストレートヘアアイロンのアームが閉位置にある時の斜視図である。
【図４ｃ】図１に示すストレートヘアアイロンのアームが開位置にある時の斜視図である。
【図５】第１の実施形態による加熱プレートの毛髪接触面を示す上面図である。
【図６ａ】図５に示す加熱プレートの側面図である。
【図６ｂ】図６ａに示す加熱プレートの一部の拡大図である。
【図６ｃ】圧力下で屈曲した図５及び図６に示す加熱プレートを示す図である。
【図７】図５及び図６に示す加熱プレートの下側を示す図である。
【図８】第２の実施形態による加熱プレートの毛髪接触面を示す上面図である。
【図９】図８に示す加熱プレートの側面図である。
【図１０】図８及び図９に示す加熱プレートの下側を示す図である。
【図１１】図８〜図１０に示すような加熱プレートを有するプレートキャリアの平面図である。
【図１２】図１１に示すプレートキャリアの側面図である。
【図１３】図１２に示すプレートキャリアの線Ｅ−Ｅに沿って切り取った断面図である。
【図１４】図１１〜図１３に示すプレートキャリアの端面図である。
【図１５】図１１〜図１４に示すプレートキャリアの斜視図である。
【図１６】図１１に示すプレートキャリアの線Ｄ−Ｄに沿って切り取った断面図である。
【発明を実施するための形態】
【００２５】
図１〜図４ｃに示すストレートヘアアイロン１は、一端をヒンジ６によって連結された第１のアーム２及び第２のアーム４を含むことが分かる。ストレートヘアアイロンのヒンジ側端部には、電源ケーブル８が存在する。
【００２６】
各アーム２、４は、ヒンジ６から最も離れたアームの端部に位置する加熱プレート１０をさらに含む。電源ケーブル８からの配線９は、ストレートヘアアイロン１を制御するＰＣＢ１１に接続される。各加熱プレート１０は、毛髪接触面１２と、反対側の外面１４とを有する。各プレート１０の毛髪接触面１２は、互いに向き合うように配置される。アーム２、４は、毛髪接触面１２が離間した図４ｃに示すような開位置と、毛髪接触面１２が１つになってストレートにする毛髪を毛髪接触面１２間に保持できるようになる図４ｂに示すような閉位置との間で動くことができるようにヒンジ連結される。
【００２７】
図５〜図７には、ストレートヘアアイロン１の各アーム２、４上に位置することができる加熱プレート１０の第１の実施形態を示す。
【００２８】
加熱プレート１０は、この実施形態では平らな、単一要素に形成された滑らかな毛髪接触面１２を有することが分かる。毛髪接触面１２は矩形である。加熱プレート１０は、ストレートにする毛髪に加熱プレート１０から熱を伝えることができるいずれかの好適な材料で形成することができる。好適な材料の例には、アルミニウム、銅、鋼、チタン及びベリリウム銅などの金属及び金属合金がある。
【００２９】
加熱プレート１０は、毛髪接触面の反対側の対向面１４を有する。加熱プレート１０全体は、一体に又は１つの材料片から形成されることが理想的である。加熱プレート１０は、長さ（Ｌ）、深さ（Ｄ１）及び幅（Ｗ）を有することが分かる。加熱プレート１０は、それぞれ加熱プレート１０の全幅（Ｗ）にわたって延びる複数の溝１６を有する。各溝１６は、対向面１４から毛髪接触面１２に向かって延びる。溝１６は、毛髪接触面１２の寸前で止まる。溝１６、加熱プレート１０の屈曲を可能にする。この屈曲は、図６ｃで分かる。例えば第１のアーム２と第２のアーム４との間に髪の束１９を挟んでアーム２、４を圧迫し合った時などに毛髪接触面１２に下向きの力（Ｆ）が加わると、加熱プレート１０が屈曲することが分かる。
【００３０】
溝１６の頂部１８と毛髪接触面１２との間には、図６ｂで最もよく分かる加熱プレート１０の層２０が形成される。この層は、０．００１ｍｍ〜１ｍｍの深さ（Ｄ２）を有し、深さ（Ｄ２）は０．０５ｍｍであることが理想的である。加熱プレート１０の深さ（Ｄ１）は、０．０１ｍｍ〜１０ｃｍである。加熱プレート１０の深さ（Ｄ１）は、３ｍｍであることが理想的である。層２０の深さ（Ｄ２）と加熱プレート１０の深さ（Ｄ１）との比率は、１：６０であることが好ましい。
【００３１】
溝１６は、２０本〜１００本存在することが好ましい。好ましい実施形態では、８０本の溝が存在する。各溝１６の幅は、０．０１ｍｍ〜１０ｍｍとすることができる。各溝の幅は、０．４ｍｍであることが理想的である。各溝１６の両側には、壁部２２が存在する。壁部２２は、溝１６を定めるのに役立つ。壁部２２の幅は、０．０１ｍｍ〜１０ｍｍであることが好ましい。壁部２２の幅は、０．６ｍｍであることが好ましい。特に好ましい実施形態では、加熱プレート１０の熱質量の増加に役立つという理由で、壁部２２の方が溝１６よりも広い。
【００３２】
加熱プレート１０の長さは、２０ｍｍ〜２００ｍｍであることが好ましい。加熱プレート１０の長さは、９０ｍｍであることが理想的である。
【００３３】
加熱プレート１０は、いずれかの好適な方法を用いて製造することができる。加熱プレート１０を形成するには、層２０を一体に形成し、その後に層２０に壁部を加えることができる。或いは、加熱プレート１０全体を一体に形成し、したがって一体構造とすることもできる。
【００３４】
好適な製造方法としては、押し出し成形法、鋳造法、ワイヤーカット法、コンピュータ数値制御加工法（ＣＮＣ）、レーザー切断法、ウォータージェット法、放電加工法（ＥＤＭ）、精密電気化学加工法（ＰＥＣＭ）及び積層造形法の使用が挙げられる。
【００３５】
図８〜図１０では、加熱プレート１０の第２の実施形態が分かる。これらの図の加熱プレート１０は、第１の実施形態と同じ基本構造を有するが、いくつかのさらなる特徴を有する。
【００３６】
図９では、加熱プレート１０の側面の長さに沿って第１のチャネル２４が延びていることが分かる。第１のチャネル２４は、加熱プレート１０の両側に配置されることが好ましい。第１のチャネル２４は、毛髪接触面１２と平行に延びる第１の突出壁部２６と、第１の突出壁部と平行に延びる第２の突出壁部２８とによって囲まれる。図８に示す平面図では、両側の第１の突出壁部２６が分かる。加熱プレート１０の両側の第１のチャネル２４は、第１の材料片３０を収容するように配置される。第１の材料片３０は、加熱プレート１０の残り部分よりも低いショア値を有することが好ましい。第１の材料片３０は、図１３で分かる。図１３では、第１の材料片３０が、第１の材料片３０の頂部が加熱プレート１０の毛髪接触面１２と同じ高さになるように第１のチャネル２４からわずかに突出していることが分かる。したがって、この第１の材料片３０は、毛髪接触面１２の滑らかな柔らかい縁部として機能することができる。毛髪接触面１２の残り部分よりも縁部の方が柔らかいので、第１の材料片３０は、ストレートヘアアイロン１の使用中にユーザを保護するのに役立つことができる。
【００３７】
図９では、加熱プレート１０の側面の長さに沿って第２のチャネル３２が延びていることが分かる。第２のチャネル３２は、加熱プレート１０の両側に配置されることが好ましい。第２のチャネル３２は、第２の突出壁部２８と、第１の突出壁部２６及び第２の突出壁部２８と平行に延びる第３の突出壁部３４とによって囲まれる。加熱プレート１０の両側の第２のチャネル３２は、弾性部材３６を収容するように配置される。また、弾性部材３６は、加熱プレート１０よりも導電性が低いことが好ましい。弾性部材３６は、シリコーンゴムで形成されることが理想的である。弾性部材３６は、第２のチャネル３２の長さにわたって延びる材料片の形を取ることが好ましい。或いは、弾性部材３６は、第２のチャネル３２の長さに沿って配置された１又は２以上のばねで形成することもできる。弾性部材３６は、例えばストレートヘアアイロン１の第１及び第２のアーム２、４間にストレートにする毛髪１９が挟み付けられた時などに毛髪接触面１２に圧力が加わると、加熱プレート１０を屈曲させるように作用する。材料片の形の弾性部材３６は図１３で分かる。
【００３８】
図１０及び図１３〜図１５では、加熱プレート１０の対向面１４内に細長い凹部３８が形成されていることが分かる。この細長い凹部３８は、加熱プレート１０の全長（Ｌ）にわたって延び、その２つの長辺を第４の突出壁部４２及び第５の突出壁部４４によって囲まれる。
【００３９】
図１３〜図１６では、細長い凹部３８内に、加熱プレート１０の対向面１４に押し付けられるようにしてヒータ４６が存在することが分かる。加熱プレート１０及びヒータ４６は、プレートキャリア４８に取り付けられる。プレートキャリア４８の内部には、例えば１又は２以上のばね５０などの弾性部材が取り付けられる。（単複の）ばね５０は、加熱プレート１０の対向面１４にヒータ４６を押し付けるように作用する。（単複の）ばね５０の第１の端部５２は、プレートキャリア４８の内面５４に接触し、（単複の）ばね５０の第２の端部５６は、ヒータ４６に接触する。この目的は、ヒータ４６と加熱プレート１０の対向面１４との間の接触量を最大化することである。
【００４０】
プレートキャリア４８は、図１１〜図１７でさらに詳細に分かる。プレートキャリア４８は、細長い下壁５８と、細長い下壁５８の両側面から上向きに延びる一対の細長い側壁６０とを有する。その後、細長い側壁６０は、プレートキャリア４８の中心に向かって向きを変え、細長い下壁５８と平行に延びて第１のランナ６２を形成する。これらの第１のランナ６２は、第４及び第５の突出壁部４２、４４の自由端に位置する対応する第２のランナ６４と係合することができる。これらの第１及び第２のランナ６２、６４は、加熱プレート１０及びプレートキャリア４８の長さ（Ｌ）にわたって延び、組み立て中に加熱プレート１０がプレートキャリア４８上の適所に滑り込むようにする。第２のランナ６４は、第１のランナ６２の下部に位置することが分かる。このことは、加熱プレート１０の毛髪接触面１２に圧力が加わった場合、加熱プレート１０又はその一部が（単複の）ばね５０及び弾性部材３６の作用に抗して下壁５８の方に動くことができることを意味する。
【００４１】
図１１、図１２、図１４及び図１６では、プレートキャリア４８が、プレートキャリア４８の下壁５８から外向きに突出する一対のタブ６６をさらに含むことが分かる。これらのタブ６６は、ストレートヘアアイロンのアーム２、４と係合するように設計される。図３及び図４に、ストレートヘアアイロン１の適所に係合した一対のプレートキャリア４８を示す。一方のプレートキャリア４８は第１のアーム２に係合し、一方のプレートキャリア４８は第２のアーム４に係合する。タブ６６は、ストレートヘアアイロン１のアーム２、４上に位置する前方保持手段６８及び後方保持手段７０の背後でアーム２、４に係合する。各アーム２、４は、プレートキャリア４８の下壁５８とアーム２、４の内壁７４との間に位置する複数の弾性支持体７２も有する。これらの弾性支持体７２は、例えばシリコーンゴムなどの弾性材料で構成することができ、或いはばねの形を取ることもできる。弾性支持体７２は、プレートキャリア４８が圧力を受けた場合にわずかに動くようにする。このことは、加熱プレート１０が圧力下で屈曲できることに加え、プレートキャリア４８もアーム２、４の内壁７４に向かって一体部品として動くことができることを意味する。
【符号の説明】
【００４２】
１  ストレートヘアアイロン
２  第１のアーム
４  第２のアーム
６  ヒンジ
８  電源ケーブル
１０  加熱プレート
【図１】
0006618456.tif 000002
【図２】
0006618456.tif 000003
【図３】
0006618456.tif 000004
【図４ａ】
0006618456.tif 000005
【図４ｂ】
0006618456.tif 000006
【図４ｃ】
0006618456.tif 000007
【図５】
0006618456.tif 000008
【図６ａ】
0006618456.tif 000009
【図６ｂ】
0006618456.tif 000010
【図６ｃ】
0006618456.tif 000011
【図７】
0006618456.tif 000012
【図８】
0006618456.tif 000013
【図９】
0006618456.tif 000014
【図１０】
0006618456.tif 000015
【図１１】
0006618456.tif 000016
【図１２】
0006618456.tif 000017
【図１３】
0006618456.tif 000018
【図１４】
0006618456.tif 000019
【図１５】
0006618456.tif 000020
【図１６】
0006618456.tif 000021